(57)【特許請求の範囲】
【請求項１】
ロールブラインドのスクリーンの下端に設けられるウェイトバーに対して、当該ウェイトバーの室内外方向における半分を覆う態様で着脱可能に取り付けられて、スクリーンの昇降動作を行うための操作具を支持するロールブラインドの操作具支持構造体において、
前記ウェイトバーの上部に上方から係合する第１の係合爪、および前記ウェイトバーの下部に下方から係合する第２の係合爪、ならびに前記操作具の取付け部位を有するボディと、
前記第２の係合爪の下方への変位を規制するロック位置と、同じく当該変位を許容するアンロック位置との間を変位するロックレバーと、を備えてなるロールブラインドの操作具支持構造体。
【請求項２】
ロールブラインドのスクリーンの下端に設けられるウェイトバーに対して、当該ウェイトバーの室内外方向における半分を覆う態様で着脱可能に取り付けられて、スクリーンの昇降動作を行うための操作具を支持するロールブラインドの操作具支持構造体において、
前記ウェイトバーの上部に上方から係合する第１の係合爪、および前記操作具の取付け部位を有するボディと、
前記ウェイトバーの下部に下方から係合する第２の係合爪を有し、かつ前記ボディに対して回転可能に支持されるロックレバーと、を備え、
前記ロックレバーは、前記第２の係合爪が前記ウェイトバーの下部に係合するロック位置と、第２の係合爪の前記ウェイトバーの下部に対する係合が解除されるアンロック位置との間を変位するとともに、前記ロック位置にあるとき、前記ボディとの係合関係を通じて前記ロック位置から前記アンロック位置へ向けた変位が規制されるロールブラインドの操作具支持構造体。
【請求項３】
請求項１に記載のロールブラインドの操作具支持構造体において、
前記第２の係合爪は、前記ボディに対して回転可能に設けられる係合部材の一部分として設ける一方、前記ロックレバーは、前記係合部材の下方に回転可能に設け、
前記ロックレバーは、前記ロック位置から前記アンロック位置へ向けた回転に伴い、前記係合部材の下面に対して摺動しつつ前記係合部材の下部に設けられる当接面に当接する仮止め位置に至り、
前記ロックレバーが前記仮止め位置にあるとき、前記係合部材の回転は規制された状態に維持され、前記ロックレバーが仮止め位置からさらにアンロック位置へ向けて回転されるとき、前記係合部材は、前記当接面が前記ロックレバーによって押圧されることにより前記第２の係合爪を下方へ変位させる方向へ回転するとともに、当該回転に伴い前記係合部材の一部分が前記ボディに押し付けられることにより当該係合部材に弾性力が蓄えられ、
前記ロックレバーに対するアンロック位置へ向けた外力の印加が解除されたとき、前記係合部材は自身に蓄えられた弾性力により前記仮止め位置に復帰するロールブラインドの操作具支持構造体。
【請求項４】
請求項２に記載のロールブラインドの操作具支持構造体において、
前記係合関係は、前記ロックレバーに設けられる支持軸と、前記ボディに設けられて前記支持軸を支持する支持孔との係合関係であるロールブラインドの操作具支持構造体。
【請求項５】
請求項２に記載のロールブラインドの操作具支持構造体において、
前記ロックレバーは、前記ウェイトバーの延びる方向における第１の端部を中心として回転可能に設け、
前記係合関係は、前記ロックレバーの第１の端部と反対側の第２の端部に設けられた係合突部と、前記ボディに形成された係合凹部との係合関係であるロールブラインドの操作具支持構造体。
【請求項６】
請求項１に記載のロールブラインドの操作具支持構造体において、
前記第２の係合爪は、前記ボディの下部に一体形成するとともに、前記ボディの前記第２の係合爪が形成される部分の周囲に部分的に連続するスリットを貫通して形成することにより、前記第２の係合爪が形成された部位と、その他の部位とを互いに独立して上下方向へ弾性変形可能とし、さらに前記操作具の取付け部位を前記その他の部位の下部に設け、
前記ロックレバーは、前記ボディにおける前記第２の係合爪が形成された部分の下方に回転可能に設けるとともに、前記ロック位置にあるとき、前記ボディの前記第２の係合爪が形成された部分の下面に当接することにより前記第２の係合爪の下方への変位を規制する一方、前記アンロック位置にあるとき、前記ボディの前記第２の係合爪が形成された部分の下面に対する当接が解除されることにより前記第２の係合爪の下方への変位を許容するロールブラインドの操作具支持構造体。
【請求項７】
請求項１〜請求項６のうちいずれか一項に記載のロールブラインドの操作具支持構造体において、
前記第２の係合爪は、前記ウェイトバーの下部に形成される溝または孔に下方から係合するロールブラインドの操作具支持構造体。
【請求項８】
請求項１〜請求項７のうちいずれか一項に記載の操作具支持構造体を備えてなるロールブラインド。
【発明の詳細な説明】
【技術分野】
【０００１】
本発明は、ロールブラインド、およびそのスクリーンを昇降操作するための操作具を支持する構造体に関する。
【背景技術】
【０００２】
たとえば特許文献１には、つぎのようなロールブラインドが開示されている。すなわち、図２６（ａ）に示すように、スクリーン２０１の下端には、スクリーン生地を上へ折り返して縫い合わせることにより筒状部分が形成されている。この筒状部分には、ウェイトバー２０２が挿入されている。ウェイトバー２０２の上部および下部には、それぞれウェイトバー２０２の長手方向に沿って延びる上部溝２０３および下部溝２０４が形成されている。
【０００３】
ウェイトバー２０２には、スクリーン生地を介して支持部材２０５が取り付けられている。支持部材２０５は、合成樹脂材料により一体形成されるとともに、ウェイトバー２０２の外周面に沿って湾曲して形成されている。支持部材２０５の上端部は、内側への湾曲の度合いが若干大きくされることにより、ウェイトバー２０２の上部溝２０３にスクリーン生地を介して係合可能とされている。支持部材２０５の下部における内面（図中の上面）には、ウェイトバー２０２の長手方向へ延びる突部２０６が形成されている。突部２０６は、ウェイトバー２０２の下部溝２０４にスクリーン生地を介して係合可能とされている。また、支持部材２０５の下部には、操作紐２０７が取り付けられている。
【０００４】
支持部材２０５は、つぎのようにして取り付けられる。すなわちまず、支持部材２０５の上端部を、ウェイトバー２０２の室外側からウェイトバー２０２の上部溝２０３に係合させる。次いで、図２６（ａ）に矢印２０８で示されるように、支持部材２０５を、上部溝２０３を支点としてウェイトバー２０２の室外側から室内側へ向けて回動させる。すると、突部２０６がウェイトバー２０２の下部溝２０４に下方から弾性的に嵌合する。支持部材２０５は、ウェイトバー２０２の屋外側（図中の左側）の半分を覆った状態に維持される。以上で、支持部材２０５の取付け作業は完了となる。
【０００５】
特許文献１には、つぎのような支持部材も開示されている。すなわち、図２６（ｂ）に示すように、支持部材２１１は、互いの下端が回転可能に連結される第１および第２の挟持部材２１２，２１３を備えてなる。第１および第２の挟持部材２１２，２１３は、互いの連結部分を中心として回転することにより、図示しないウェイトバーに対して開放状態と挟着状態となる。開放状態とは、第１および第２の挟持部材２１２，２１３の上端が互いに離間する状態である。この開放状態において、第１および第２の挟持部材２１２，２１３の間にウェイトバーを挿入可能となる。挟着状態とは、第１および第２の挟持部材２１２，２１３の上端が互いに近接してウェイトバーを互いに反対側から挟み込む状態である。
【０００６】
支持部材２１１をウェイトバーに取り付ける場合には、第１および第２の挟持部材２１２，２１３を開放状態にして、ウェイトバーにその下方から取り付ける。次いで、ウェイトバーが第１および第２の挟持部材２１２，２１３によって挟み込まれた状態で、第１および第２の挟持部材２１２，２１３を互いに近接する方向へ回転させることにより、第１および第２の挟持部材２１２，２１３をウェイトバーに対して挟着状態にする。この後、第１および第２の挟持部材２１２，２１３にそれぞれ形成された係合溝２１４，２１５に係合部材２１６を係合させることにより、第１および第２の挟持部材２１２，２１３は、ウェイトバーの外周面に圧接される。これにより、第１および第２の挟持部材２１２，２１３はウェイトバーに固定される。なお、図２６（ｂ）に示される支持部材２１１と同様の構成は、特許文献２にも開示されている。
【先行技術文献】
【特許文献】
【０００７】
【特許文献１】登録特許第３５６３６９９号公報
【特許文献２】登録特許第３５６５４２９号公報
【発明の概要】
【発明が解決しようとする課題】
【０００８】
図２６（ａ）に示される支持部材２０５には、つぎのような懸念がある。すなわち、ウェイトバー２０２に嵌合する突部２０６が形成される部分、および操作紐２０７が取り付けられる部分は、いずれも支持部材２０５の下端部である。また、突部２０６をウェイトバー２０２の下部溝２０４に嵌合させる方向と、操作紐２０７の引っ張り方向とは互いに反対方向である。このため、操作紐２０７が下方へ強く引っ張られるなどして、支持部材２０５に突部２０６の下部溝２０４に対する嵌合力を超える力が印加された場合には、突部２０６が下部溝２０４から脱落し、ひいては支持部材２０５がウェイトバー２０２から外れるおそれがある。この点、図２６（ｂ）に示される支持部材２１１、あるいは特許文献２の支持部材によれば、昇降操作時の脱落は抑制されるものの、図２６（ａ）の支持部材２０５に対して、着脱作業の作業性の点で不利である。複数の係合部材２１６を、第１および第２の挟持部材２１２，２１３とは別個に着脱する必要があるからである。
【０００９】
本発明は上記問題点を解決するためになされたものであって、その目的は、ウェイトバーに対する着脱の作業性の維持向上を図りつつ、操作具を通じたスクリーンの昇降操作時におけるウェイトバーからの脱落を抑制することができるロールブラインドの操作具支持構造体およびそれを備えたロールブラインドを提供することにある。
【課題を解決するための手段】
【００１０】
請求項１に記載の発明は、ロールブラインドのスクリーンの下端に設けられるウェイトバーに対して、当該ウェイトバーの室内外方向における半分を覆う態様で着脱可能に取り付けられて、スクリーンの昇降動作を行うための操作具を支持するロールブラインドの操作具支持構造体において、前記ウェイトバーの上部に上方から係合する第１の係合爪、および前記ウェイトバーの下部に下方から係合する第２の係合爪、ならびに前記操作具の取付け部位を有するボディと、前記第２の係合爪の下方への変位を規制するロック位置と、同じく当該変位を許容するアンロック位置との間を変位するロックレバーと、を備えてなることをその要旨とする。
【００１１】
本発明によれば、ロックレバーをアンロック位置からロック位置へ操作するだけで、第２の係合爪の下方への変位が規制される。ロックレバーがロック位置にあるとき、操作具の操作を通じてボディに印加される外力がロックレバーに直接的に作用することはない。すなわち、操作具を通じてスクリーンの昇降操作が行われた場合であれ、ロックレバーはロック位置に好適に維持される。このため、操作具支持構造体のウェイトバーからの脱落が抑制される。また、ロックレバーの操作を通じて操作具支持構造体のロック状態とアンロック状態とを切り替えることができるので、操作具支持構造体のウェイトバーに対する着脱作業も簡単である。
【００１２】
請求項２に記載の発明は、ロールブラインドのスクリーンの下端に設けられるウェイトバーに対して、当該ウェイトバーの室内外方向における半分を覆う態様で着脱可能に取り付けられて、スクリーンの昇降動作を行うための操作具を支持するロールブラインドの操作具支持構造体において、前記ウェイトバーの上部に上方から係合する第１の係合爪、および前記操作具の取付け部位を有するボディと、前記ウェイトバーの下部に下方から係合する第２の係合爪を有し、かつ前記ボディに対して回転可能に支持されるロックレバーと、を備え、前記ロックレバーは、前記第２の係合爪が前記ウェイトバーの下部に係合するロック位置と、第２の係合爪の前記ウェイトバーの下部に対する係合が解除されるアンロック位置との間を変位するとともに、前記ロック位置にあるとき、前記ボディとの係合関係を通じて前記ロック位置から前記アンロック位置へ向けた変位が規制されることをその要旨とする。
【００１３】
本発明によれば、ロックレバーがロック位置にあるとき、ロックレバーとボディとの係合関係を通じてロックレバーのロック位置からアンロック位置へ向けた変位が規制される。そしてロックレバーがロック位置にあるとき、操作具の操作を通じてボディに印加される外力がロックレバーに直接的に作用することはない。すなわち、操作具を通じてスクリーンの昇降操作が行われた場合であれ、ロックレバーはロック位置に好適に維持される。このため、操作具支持構造体のウェイトバーからの脱落が抑制される。また、ロックレバーの操作を通じて操作具支持構造体のロック状態とアンロック状態とを切り替えることができるので、操作具支持構造体のウェイトバーに対する着脱作業も簡単である。
【００１４】
請求項３に記載の発明は、請求項１に記載のロールブラインドの操作具支持構造体において、前記第２の係合爪は、前記ボディに対して回転可能に設けられる係合部材の一部分として設ける一方、前記ロックレバーは、前記係合部材の下方に回転可能に設け、前記ロックレバーは、前記ロック位置から前記アンロック位置へ向けた回転に伴い、前記係合部材の下面に対して摺動しつつ前記係合部材の下部に設けられる当接面に当接する仮止め位置に至り、前記ロックレバーが前記仮止め位置にあるとき、前記係合部材の回転は規制された状態に維持され、前記ロックレバーが仮止め位置からさらにアンロック位置へ向けて回転されるとき、前記係合部材は、前記当接面が前記ロックレバーによって押圧されることにより前記第２の係合爪を下方へ変位させる方向へ回転するとともに、当該回転に伴い前記係合部材の一部分が前記ボディに押し付けられることにより当該係合部材に弾性力が蓄えられ、前記ロックレバーに対するアンロック位置へ向けた外力の印加が解除されたとき、前記係合部材は自身に蓄えられた弾性力により前記仮止め位置に復帰することをその要旨とする。
【００１５】
本発明によれば、第２の係合爪のウェイトバーに対する係合を解除するためには、ロックレバーをロック位置から仮止め位置へ変位させたうえで、さらにアンロック位置へ変位させる必要がある。しかも、ロックレバーに対するアンロック位置へ向けた外力の印加が解除されたとき、ロックレバーはアンロック位置から仮止め位置に弾性復帰する。ロックレバーが仮止め位置にあるとき、第２の係合爪はウェイトバーの下部に係合した状態に維持される。このため、操作具支持構造体は、ウェイトバーからいっそう外れにくくなる。
【００１６】
請求項４に記載の発明は、請求項２に記載のロールブラインドの操作具支持構造体において、前記係合関係は、前記ロックレバーに設けられる支持軸と、前記ボディに設けられて前記支持軸を支持する支持孔との係合関係であることをその要旨とする。
【００１７】
本発明によれば、ロックレバーの支持軸と、ボディの支持孔との係合関係を通じて、ロックレバーのロック位置からアンロック位置へ向けた変位が規制される。
請求項５に記載の発明は、請求項２に記載のロールブラインドの操作具支持構造体において、前記ロックレバーは、前記ウェイトバーの延びる方向における第１の端部を中心として回転可能に設け、前記係合関係は、前記ロックレバーの第１の端部と反対側の第２の端部に設けられた係合突部と、前記ボディに形成された係合凹部との係合関係であることをその要旨とする。
【００１８】
本発明によれば、ロックレバーの係合突部と、ボディの係合凹部との係合関係を通じて、ロックレバーのロック位置からアンロック位置へ向けた変位が規制される。
請求項６に記載の発明は、請求項１に記載のロールブラインドの操作具支持構造体において、前記第２の係合爪は、前記ボディの下部に一体形成するとともに、前記ボディの前記第２の係合爪が形成される部分の周囲に部分的に連続するスリットを貫通して形成することにより、前記第２の係合爪が形成された部位と、その他の部位とを互いに独立して上下方向へ弾性変形可能とし、さらに前記操作具の取付け部位を前記その他の部位の下部に設け、前記ロックレバーは、前記ボディにおける前記第２の係合爪が形成された部分の下方に回転可能に設けるとともに、前記ロック位置にあるとき、前記ボディの前記第２の係合爪が形成された部分の下面に当接することにより前記第２の係合爪の下方への変位を規制する一方、前記アンロック位置にあるとき、前記ボディの前記第２の係合爪が形成された部分の下面に対する当接が解除されることにより前記第２の係合爪の下方への変位を許容することをその要旨とする。
【００１９】
本発明によれば、ウェイトバーの下部に係合する第２の係合爪が形成された部位以外の他の部位の下部に操作具が取り付けられる。そして第２の係合爪が形成された部位と、その他の部位とは互いに独立して上下方向へ弾性変形可能とされている。このため、スクリーンを引き下ろすべく操作具が下方へ引っ張られたとき、他の部位のみが下方へ弾性変形する。すなわち、第２の係合爪が形成された部位は下方へ弾性変形することなく、第２の係合爪がウェイトバーの下部から脱落することが抑制される。また、ロックレバーがロック位置にあるとき、ボディの第２の係合爪が形成された部分の下面にロックレバーが当接することにより第２の係合爪の下方への変位が規制される。このため、第２の係合爪はウェイトバーからいっそう外れにくくなる。
【００２０】
請求項７に記載の発明は、請求項１〜請求項６のうちいずれか一項に記載のロールブラインドの操作具支持構造体において、前記第２の係合爪は、前記ウェイトバーの下部に形成される溝または孔に下方から係合することをその要旨とする。
【００２１】
本発明のように、第２の係合爪がウェイトバーの下部に形成される溝または孔に下方から係合することにより、ボディのウェイトバーに対する取付け状態が好適に維持される。
請求項８に記載の発明は、ロールブラインドにおいて、請求項１〜請求項７のうちいずれか一項に記載の操作具支持構造体を備えてなることをその要旨とする。
【００２２】
請求項１〜請求項７のうちいずれか一項に記載の操作具支持構造体は、ロールブラインドに好適である。
【発明の効果】
【００２３】
本発明によれば、ウェイトバーに対する着脱の作業性の維持向上を図りつつ、操作具を通じたスクリーンの昇降操作時における操作具支持構造体のウェイトバーからの脱落を抑制することができる。
【図面の簡単な説明】
【００２４】
【図１】（ａ），（ｂ）は、第１の実施の形態におけるロールブラインドの斜視図。
【図２】図１（ａ）のＡ−Ａ線断面図。
【図３】第１の実施の形態における操作具支持構造体の分解斜視図。
【図４】同じく操作具支持構造体の本体を室内側から見た正面図。
【図５】（ａ），（ｃ）は、図４のＢ−Ｂ線断面図、（ｂ）は、図４のＣ−Ｃ線断面図。
【図６】第１の実施の形態における操作具支持構造体の本体を室外側から見た背面図。
【図７】同じく操作具支持構造体の本体の下面図。
【図８】（ａ）は、同じく操作具支持構造体の係合部材の平面図、（ｂ）は、図８（ａ）のＤ−Ｄ線断面図、（ｃ）は、図８（ａ）のＥ−Ｅ線断面図。
【図９】同じく操作具支持構造体の斜視図。
【図１０】同じく操作具支持構造体を室内側から見た正面図。
【図１１】同じく操作具支持構造体を室外側から見た背面図。
【図１２】（ａ）は、同じくハンドルの側面図、（ｂ）は、同じくハンドルの正面図。
【図１３】（ａ），（ｂ），（ｃ）は、図１０のＦ−Ｆ線断面図。
【図１４】（ａ），（ｂ）は、第２の実施の形態の操作具支持構造体の斜視図。
【図１５】（ａ）は、同じく操作具支持構造体の本体を室内側から見た正面図、（ｂ）は、図１５（ａ）のＧ−Ｇ線断面図、（ｃ）は、図１５（ａ）の右側面図。
【図１６】（ａ），（ｂ），（ｃ）は、図１５（ａ）の右側面図。
【図１７】（ａ），（ｂ）は、第３の実施の形態におけるロック状態の操作具支持構造体の斜視図。
【図１８】（ａ），（ｂ）は、同じくアンロック状態の操作具支持構造体の斜視図。
【図１９】（ａ）は、同じくロック状態の操作具支持構造体の側面図、（ｂ）は、同じくアンロック状態の操作具支持構造体の側面図。
【図２０】（ａ）は、図１９（ａ）のＨ−Ｈ線断面図、（ｂ）は、図１９（ｂ）のＩ−Ｉ線断面図。
【図２１】（ａ），（ｂ）は、第４の実施の形態における支持構造体の斜視図。
【図２２】同じく支持構造体を室内側から見た正面図。
【図２３】同じく支持構造体の下面図。
【図２４】（ａ）は、図２２のＪ−Ｊ線断面図、（ｂ）は同じくＫ−Ｋ線断面図。
【図２５】（ａ）は、同じく支持構造体の斜視図、（ｂ）は、図２２のＬ−Ｌ線断面図、（ｃ）は、支持構造体の側面図。
【図２６】（ａ）は、従来の支持部材の断面図、（ｂ）は、他の従来の支持部材の断面図。
【発明を実施するための形態】
【００２５】
＜第１の実施の形態＞
以下、本発明を具体化した一実施の形態を図１〜図１３（ａ），（ｂ），（ｃ）に基づいて説明する。
【００２６】
＜全体構成＞
図１（ａ）に示すように、ロールブラインド１１の上部には、取付枠１２が設けられている。取付枠１２は、その上部に設けられた２つのブラケット１２ａ，１２ａを介して、窓の上枠などに固定される。取付枠１２の両端には、それぞれ下方へ延びるサイドブラケット１３，１３が取り付けられている。両サイドブラケット１３，１３間には、巻取軸１４が回転可能に支持されている。巻取軸１４にはスクリーン１５が吊り下げられている。スクリーン１５の下端には、ウェイトバー１６が取り付けられている。ウェイトバー１６の長手方向における中央部には、支持構造体１７を介して操作紐１８が支持されている。操作紐１８の下端には、把持部材１８ａが設けられている。操作紐１８は、スクリーン１５を昇降操作するための操作具である。操作紐１８の操作を通じて、巻取軸１４の内部に設けられる巻き上げ装置（図示略）が作動することにより、スクリーン１５が昇降する。なお、支持構造体１７には、操作紐１８に代えて、ハンドル１９を取り付けることも可能とされている。
【００２７】
＜ウェイトバー＞
図２に示されるように、ウェイトバー１６は、スクリーン１５の下端に形成された筒状部分に側方から挿入されている。ウェイトバー１６は、アルミ押出形材である中空棒状の本体２１、および本体２１の室外側に装着されるウェイトバーダンパ２２を備えてなる。ウェイトバーダンパ２２はゴム材により形成されている。ウェイトバー１６の長手方向に直交する断面形状は、丸みを帯びた三角形状とされている。ウェイトバー１６の上部には上部溝２３が、同じく下部には下部溝２４が形成されている。上部溝２３および下部溝２４はそれぞれウェイトバー１６の長手方向に沿って延びている。
【００２８】
ウェイトバー１６には、スクリーン生地を介して支持構造体１７が取り付けられている。支持構造体１７は、操作紐１８などの操作具を支持するものである。支持構造体１７は、ウェイトバー１６の室外側の半分、正確にはウェイトバー１６の上部から室外側の側面を経て下部に至るまでの範囲を覆うかたちで取り付けられている。
【００２９】
＜支持構造体＞
図３に示すように、支持構造体１７は、ボディ３１、係合部材３２、およびロックレバー３３を備えてなる。係合部材３２およびロックレバー３３は、それぞれボディ３１に組み付けられる。
【００３０】
＜ボディ＞
図４に示すように、ボディ３１は、合成樹脂材料により一体形成されている。ボディ３１は、ウェイトバー１６の長手方向へ延びている。ボディ３１の長さは、ウェイトバー１６の長手方向長よりも短く設定されている。図２に併せて示すように、ボディ３１は、ウェイトバー１６の外周面に沿って湾曲する板状に形成されている。ボディ３１の厚み、すなわちボディ３１の内面と外面との距離は、ボディ３１の上部から上下方向の中央付近まではほぼ一定に設定されるとともに、当該中央付近からボディ３１の下部へ向かうにつれて徐々に大きくなるように設定されている。
【００３１】
図２に示すように、ボディ３１の上端部には、係合爪４１が形成されている。係合爪４１は、ボディ３１の上端部の内側への湾曲の度合いが大きくされることにより形成されている。係合爪４１は、ウェイトバー１６の上部溝２３にスクリーン生地を介して上方から係合する。
【００３２】
また、図４に併せて示すように、ボディ３１の内面には、２つの矩形状の凹部４２，４２が形成されている。これら凹部４２，４２は、ボディ３１の上下方向における中央よりも若干上側の部位に、かつボディ３１の左右方向において離間して設けられている。また、両凹部４２，４２の内底面には、それぞれ矩形状の孔４３が形成されている。各孔４３は、各凹部４２の上部に、かつボディ３１の長手方向における各凹部４２の全長にわたって形成されている。
【００３３】
また、ボディ３１の内面には、３つの突部４４，４４，４４が形成されている。各突部４４は、ボディ３１の上下方向における中央よりも若干上側の部位に形成されている。３つのうち２つの突部４４，４４は、２つの凹部４２とボディ３１の両端との間にそれぞれ設けられている。残りの１つの突部４４は、両凹部４２，４２間に設けられている。各突部４４は、ボディ３１の長手方向に沿って延び、かつ同一の直線上に位置するように設けられている。各突部４４の上面および下面は、各突部４４の先端に向かうにつれて互いに近接するテーパ面とされている。図２に示されるように、ボディ３１（支持構造体１７）がウェイトバー１６に取り付けられた状態において、各突部４４の先端は、ウェイトバーダンパ２２の外側面にスクリーン生地を介して接触し、あるいは食い込む。
【００３４】
図３に示すように、ボディ３１の下部の両端には、それぞれ切欠凹部４５，４５が形成されている。これら切欠凹部４５，４５は、ボディ３１の内面（下部の上面）から両端面にわたって開放している。図２に併せて示されるように、２つの切欠凹部４５，４５は、それぞれボディ３１の室内側となる外側面に沿って斜状に延びている。これら切欠凹部４５，４５の室内側となる内側面には、それぞれ突起４５ａが形成されている。突起４５ａは、切欠凹部４５の内底部寄りの部位において、ボディ３１の長手方向に沿って延びてなる。２つの切欠凹部４５，４５は、ハンドル１９を取り付ける際に使用される。
【００３５】
また、図３に示すように、ボディ３１の両端面には、それぞれ三角柱状の凹部４６が開口して形成されている。図２に併せて示されるように、２つの凹部４６，４６は、ボディ３１の内側面および外側面ならびに切欠凹部４５に沿う３つの内面を有してなる。
【００３６】
図３に示すように、ボディ３１には収容孔４７が形成されている。収容孔４７は、２つの切欠凹部４５，４５の間に形成されている。図５（ｂ）に併せて示されるように、収容孔４７は、ボディ３１の上下方向における中央から下部までの範囲にわたって貫通して形成されている。収容孔４７において、ボディ３１の長手方向において互いに対向する２つの内側面には、それぞれ第１の軸受孔４８、および第２の軸受孔４９が形成されている。第１の軸受孔４８はボディ３１の下部寄りに、第２の軸受孔４９はボディ３１の中央寄りに位置している。２つの第１の軸受孔４８，４８同士、ならびに２つの第２の軸受孔４９，４９同士は、ボディ３１の長手方向においてそれぞれ同軸上に位置している。そして図２に示されるように、第１の軸受孔４８は、切欠凹部４５の下部に開口している。第２の軸受孔４９は、凹部４６の上部にそれぞれ開口している。第１の軸受孔４８はロックレバー３３を、第２の軸受孔４９は係合部材３２を取り付ける際に使用される。
【００３７】
図３に示すように、収容孔４７の室内側の内側面には、紐支持部５０が形成されている。紐支持部５０は、収容孔４７の下部、かつボディ３１の長手方向における中央部に設けられている。図６に併せて示されるように、紐支持部５０は、底壁５１、および底壁５１の上面に立設された２つの側壁５２，５２からなる。両側壁５２，５２は、ボディ３１の長手方向において互いに対向している。図５（ａ）に示されるように、両側壁５２，５２の上面には、室内側から室外側へ向かうにつれて底壁５１を基準とする高さが徐々に低くなる勾配面とされている。図７に示すように、底壁５１の中央には、挿通孔５３が形成されている。挿通孔５３は、操作紐１８を取り付ける際に使用される。
【００３８】
＜係合部材＞
図３に示すように、係合部材３２は、合成樹脂材料により一体形成されている。係合部材３２の体格は、ボディ３１の収容孔４７に収容可能となる程度に設定されている。係合部材３２は、直方体状の連結部６１、および連結部６１の室内側の部位に設けられた板状の案内部６２を有している。連結部６１の長手方向において互いに反対側に位置する２つの側面には、それぞれ軸６１ａが形成されている。連結部６１は、これら軸６１ａ，６１ａを介して、ボディ３１の第２の軸受孔４９，４９に対して回動可能に支持される。また、連結部６１の上面には、２つの凹部６３，６３が形成されている。これら凹部６３，６３は、係合部材３２の長手方向における両端寄りの部位に設けられている。
【００３９】
案内部６２は、連結部６１の室内側の外側面の上部において、庇状に突き出して形成されている。図８（ｃ）に併せて示されるように、両凹部６３，６３の室内側の内側面は、室外側から室内側へ向かうにつれて凹部６３の深さが徐々に浅くなる曲面とされることにより、案内部６２の上面に滑らかに連続している。
【００４０】
図８（ａ）に併せて示されるように、両凹部６３，６３の間、すなわち係合部材３２の長手方向における中央部分には、ウェイトバー１６の下部の一部分を支持する支持部６４が形成されている。図３に併せて示されるように、支持部６４は、案内部６２の先端から若干突き出して形成されている。支持部６４の上面は、ウェイトバー１６の下部の外周面に沿って湾曲して形成されている。支持部６４の上面は、スクリーン生地を介して、ウェイトバー１６の下部の外周面に接触する。
【００４１】
支持部６４の先端には、係合爪６５が形成されている。係合爪６５は、支持部６４の長手方向における全長にわたって形成されている。図８（ｂ）に併せて示すように、係合爪６５は、支持部６４の先端をウェイトバー１６（図中の上方）へ向けて湾曲させることにより形成されている。図２に示されるように、係合爪６５は、ウェイトバー１６の下部溝２４にスクリーン生地を介して下方から係合する。
【００４２】
支持部６４の下面には、図１１に示されるように、指入凹部６６が形成されている。図８（ｂ）に示されるように、指入凹部６６の内頂面は、支持部６４の上面に沿う傾斜面とされている。また、図８（ｃ）に示すように、案内部６２の下面は、緩やかな凹凸面とされている。具体的には、案内部６２の下面において、室内外方向における中央には節度山６７が形成されている。連結部６１の室内側の側面において、案内部６２との連結部分の下側の部位は、ロックレバー３３の一部が当接する当接面６８とされている。
【００４３】
＜ロックレバー＞
図３に示すように、ロックレバー３３は、合成樹脂材料によりＵ字状に一体形成されている。ロックレバー３３は、２つの腕部７１，７１、およびこれら腕部７１，７１の端部間を連結する連結部７２を有してなる。連結部７２の延びる方向において、２つの腕部７１，７１の離間距離は、係合部材３２の２つの案内部６２，６２間の離間距離と同程度とされている。また、両腕部７１，７１の先端上面には、それぞれ係合突部７３が形成されている。係合突部７３の室外側の側面は、上方へ向かうにつれて厚みが小さくなるように傾斜する勾配面とされている。さらに、両腕部７１，７１において、連結部７２の延びる方向において互いに反対側に位置する２つの側面には、それぞれ軸７４が形成されている。これら軸７４，７４は、２つの腕部７１，７１の先端寄りに設けられている。ロックレバー３３は、これら軸７４，７４を介して、ボディ３１の第１の軸受孔４８，４８に対して回動可能に支持される。ロックレバー３３の回動に伴い、係合突部７３の先端は、係合部材３２の案内部６２の下面に対して摺動することにより案内される。また、係合突部７３の先端は、係合部材３２の当接面６８に当接する。
【００４４】
＜支持構造体の組立方法＞
支持構造体１７は、つぎのようにして組み立てられる。すなわち、図３に示されるように、ボディ３１の収容孔４７に対して、室外側から係合部材３２およびロックレバー３３をそれぞれ挿入する。係合部材３２の２つの軸６１ａは浅溝に案内されて２つの第２の軸受孔４９に、ロックレバー３３の２つの軸７４，７４は浅溝に案内されて２つの第１の軸受孔４８，４８にそれぞれ回転可能に嵌合する。係合部材３２は２つの軸６１ａ，６１ａを介して、ロックレバー３３は２つの軸７４，７４を介してボディ３１に対して回転可能に支持される。
【００４５】
ロックレバー３３は、図１３（ａ）に示されるロック位置と、図１３（ｂ）に示される仮止め位置と、図１３（ｃ）に示されるアンロック位置との間を回転変位する。
ロック位置は、係合突部７３が案内部６２の下面における先端部分（正確には、節度山６７よりも室内側の部分）に係合し、かつ２つの腕部７１，７１の上面が係合部材３２の連結部６１の下面に当接する位置である。仮止め位置は、係合突部７３が節度山６７を室外側へ乗り越えて係合部材３２の当接面６８に係合するとともに、２つの腕部７１，７１の背面（下面）と収容孔４７の内壁の下部とが離間する位置である。アンロック位置は、係合突部７３が係合部材３２の当接面６８に当接し、かつ２つの腕部７１，７１の背面（下面）が収容孔４７の内壁の下部に当接する位置である。
【００４６】
ロックレバー３３の回転に伴い、係合部材３２は、図１３（ａ），（ｂ）に示される係合位置と、図１３（ｃ）に示される解除位置との間を回転変位する。係合位置は、係合爪６５がウェイトバー１６の下部溝２４に、スクリーン生地を介して下方から係合する位置である。解除位置は、係合爪６５が下方へ退避して、下部溝２４との係合が解除される位置である。係合部材３２が係合位置にあるとき、図９に併せて示されるように、支持部６４および係合爪６５は、ボディ３１の収容孔４７から露出する。またこのとき、支持部６４の上面、およびボディ３１の内面は、滑らかに連続する。またこの場合、支持構造体１７を室内側からみたとき、図１０に示されるように、係合爪６５の先端は、ボディ３１の下部の上面から突出する。
【００４７】
＜操作具の取付方法＞
つぎに、支持構造体１７に対する操作具の取付方法を説明する。支持構造体１７には、操作紐１８およびハンドル１９のいずれかが装着される。
【００４８】
支持構造体１７に操作紐１８を取り付ける場合、図５（ｃ）に二点鎖線で示されるように、操作紐１８を挿通孔５３に挿通する。そして、操作紐１８の上端に結び目を形成する。この結び目が、底壁５１における挿通孔５３の周縁に係止されることにより、操作紐１８は吊り下げ状態で支持される。以上で、操作紐１８の取付作業は完了となる。なお、操作紐１８のボディ３１への取付けのタイミングは、ボディ３１に対して係合部材３２およびロックレバー３３を組み付ける前でもよいし、後でもよい。ただし、ボディ３１に対して係合部材３２などを取り付ける前の方が、操作紐１８の取付け作業は簡単である。係合部材３２などが存在しないことにより、取付けスペースが確保できるからである。
【００４９】
ここで、ハンドル１９の取付方法の説明に先立ち、ハンドル１９の構成について説明する。図１２（ａ），（ｂ）に示すように、ハンドル１９は、上下に延びる２つの腕部１９ａ，１９ａ、および２つの腕部１９ａ，１９ａの下部間を連結する把持部１９ｂ、および２つの腕部１９ａ，１９ａの上部間を連結する補強部１９ｃから全体として矩形状に形成されている。２つの腕部１９ａ，１９ａの上部には、互いに対向する軸２０，２０が形成されている。そして、支持構造体１７にハンドル１９を取り付ける場合、ハンドル１９の２つの軸２０，２０をボディ３１の２つの切欠凹部４５，４５にそれぞれ上方から挿入する。この際、２つの軸２０，２０は、２つの切欠凹部４５，４５の内面にそれぞれ案内されることにより、円滑に下方へ変位する。２つの軸２０，２０は、２つの切欠凹部４５，４５の内面にそれぞれ形成された突起４５ａを乗り越えて、切欠凹部４５，４５の下部間に回転可能に嵌合する。ハンドル１９は、２つの軸２０，２０を中心として回転可能に支持される。軸２０が突起４５ａに係合することにより、軸２０の切欠凹部４５からの抜け止めがなされる。以上で、ハンドル１９の取付け作業は完了となる。
【００５０】
＜支持部材の着脱方法＞
つぎに、ウェイトバー１６に対する支持構造体１７の着脱方法を図１３（ａ），（ｂ），（ｃ）を参照して説明する。前述したように、支持構造体１７には、操作紐１８およびハンドル１９のいずれも装着可能である。いずれが選択される場合であれ、支持構造体１７をウェイトバー１６に装着する際には、操作紐１８またはハンドル１９を予めボディ３１に取り付ける。なお、図１３（ａ）〜（ｃ）では、説明の便宜上、スクリーン１５を省略して図示する。
【００５１】
＜取り付け時＞
さて、支持構造体１７をウェイトバー１６に装着する際には、支持構造体１７は、図１３（ｂ）に示される仮止め状態とする。このとき、係合部材３２の係合爪６５は、ボディ３１の下部の上面から突出する。またこのとき、ロックレバー３３の係合突部７３の先端は、係合部材３２の当接面６８に当接した状態に維持される。
【００５２】
そして、仮止め状態の支持構造体１７をウェイトバー１６の室外側から近接させつつ、ボディ３１の係合爪４１を、ウェイトバー１６の上部溝２３に上方から係合させる。
次いで、ロックレバー３３の外端に時計方向へ外力を印加して、ロックレバー３３を図１３（ｃ）に示されるアンロック位置に維持する。このとき、ロックレバー３３の係合突部７３は、係合部材３２の当接面６８を反時計方向へ押圧する。係合部材３２は軸６１ａを中心として、反時計方向へ回転しようとするものの、当該回転は、係合部材３２の上部が収容孔４７の内頂面に当接することにより、規制される。係合部材３２の上部は、収容孔４７の内頂面に押し付けられることにより、若干弾性変形する。
【００５３】
このアンロック状態の支持構造体１７を、上部溝２３に係合した係合爪４１を支点としてウェイトバー１６の室外側から室内側（ウェイトバー１６に近接する方向）へ向けて回動させる。係合爪６５が下部溝２４に対向する位置に支持構造体１７が至ったとき、ロックレバー３３に対する外力の印加を解除する。すると、係合部材３２は、自身に蓄えられた弾性力により、時計方向へ回転する。この結果、係合部材３２は、図１３（ｃ）に示される解除位置から図１３（ｂ）に示される係合位置に復帰する。係合爪６５は、スクリーン生地を介して、下部溝２４に下方から係合する。ロックレバー３３は、係合部材３２の復帰動作に連動して、図１３（ｃ）に示されるアンロック位置から図１３（ｂ）に示される仮止め位置へ至る。
【００５４】
この後、ロックレバー３３に対して反時計方向の外力を印加する。すると、ロックレバー３３は、軸７４を中心として、反時計方向へ回転する。このとき、係合突部７３の先端は、係合部材３２の案内部６２の下面を室外側から室内側へ向けて摺動する。係合突部７３の先端が、案内部６２の下面の節度山６７を乗り越えると、ロックレバー３３は図１３（ａ）に示されるロック位置に至る。係合突部７３の先端が節度山６７を乗り越える際には、節度感（クリック感）が得られるので、ロックレバー３３がロック位置に達した旨触覚を通じて認識可能となる。ロックレバー３３の係合突部７３の先端が節度山６７に係合することにより、ロックレバー３３の時計方向への回転が規制される。これにより、ロックレバー３３は、ロック位置に保持される。すなわち、支持構造体１７は、ウェイトバー１６の室外側（図中の右側）の半分を覆った状態に維持される。以上で、支持構造体１７の取付け作業は完了となる。
【００５５】
＜取り外し時＞
支持構造体１７をウェイトバー１６から取り外す際には、ロック位置にあるロックレバー３３に対して下方へ外力を印加する。すると、ロックレバー３３は、軸７４を中心として時計方向へ回転する。ロックレバー３３の係合突部７３の先端は、案内部６２の下面を室内側から室外側へ摺動しつつ節度山６７を乗り越えて、図１３（ｂ）に示されるように、係合部材３２の当接面６８に当接する。係合突部７３が節度山６７を乗り越える際には、ロックレバー３３を介して節度感が得られる。これにより、支持構造体１７のロック状態が解除された旨触覚を通じて認識可能となる。
【００５６】
係合突部７３が当接面６８に当接した状態から、ロックレバー３３をさらに時計方向へ回転させると、当接面６８には係合突部７３を介して室外側（図中の右方）への外力が印加される。このため、係合部材３２は、軸６１ａを中心として反時計方向へ回転する。係合部材３２の反時計方向への回転に伴い、係合爪６５は下方へ変位して、下部溝２４に対する嵌合が解除される。すなわち、図１３（ｃ）に示されるように、支持構造体１７は、ウェイトバー１６からの取り外しが可能となるアンロック状態となる。この開放状態を維持しつつ、支持構造体１７を、上部溝２３に係合した係合爪４１を支点としてウェイトバー１６の室内側から室外側（ウェイトバー１６から離間する方向）へ向けて回動させることにより、支持構造体１７はウェイトバー１６から取り外される。以上で、支持構造体１７の取り外し作業は完了となる。
【００５７】
＜支持構造体の作用＞
つぎに、ロールブラインドの操作時における支持構造体１７の作用を説明する。ここでは操作紐１８が採用されているものとする。
【００５８】
図１３（ａ）に示されるように、支持構造体１７がロック状態にあるとき、係合部材３２の係合爪６５はウェイトバー１６の下部溝２４にスクリーン生地を介して嵌合している。このとき、ロックレバー３３の係合突部７３の先端は、係合部材３２の案内部６２の先端に下方から当接した状態に維持される。係合突部７３は上下方向において係合部材３２の案内部６２に直交するかたちで当接している。このため、係合爪６５が下方へ変位しようとして、すなわち係合部材３２が反時計方向へ回転変位しようとして、係合突部７３に対して下方へ向けた外力が印加されたとしても、当該外力がロックレバー３３を時計方向へ回転させる力に変換されることはない。係合爪６５の下方への変位、すなわち係合部材３２の反時計方向への回転変位が規制されることにより、係合爪６５は、ウェイトバー１６の下部溝２４に下方から嵌合した状態に保たれる。したがって、支持構造体１７のウェイトバー１６からの脱落が防止される。
【００５９】
また、支持構造体１７がロック状態にある場合において、スクリーン１５を昇降させるときには、操作紐１８が下方へ引っ張られる。このとき、支持構造体１７には、紐支持部５０を介して下方への外力が印加される。支持構造体１７の下方への変位は、係合爪４１がウェイトバー１６の上部溝２３に係合することにより規制される。またこのとき、下方への外力は、直接的には、紐支持部５０に印加される。
【００６０】
ロック状態を解除するためには、ロックレバー３３を時計方向へ回転させる必要がある。しかし、操作紐１８を介して支持構造体１７、ひいては係合部材３２に対して下方への外力が印加されたとしても、当該下方への外力がロックレバー３３を時計方向へ回転させる力としてロックレバー３３に印加されることはない。このため、ロックレバー３３は、図１３（ａ）に示されるロック位置に好適に維持される。すなわち、操作紐１８の下方への引っ張り操作により、係合爪６５が下部溝２４から脱落すること、ひいては支持構造体１７がウェイトバー１６から脱落することが抑制される。支持構造体１７がウェイトバー１６から簡単に外れることはない。
【００６１】
ここで、操作紐１８が下方へ強く引っ張られたときには、紐支持部５０を介して係合部材３２の下部が、突部４４の付近を支点として下方へ弾性変形することも考えられる。この場合、係合部材３２とともにロックレバー３３が下方へ若干変位して、係合突部７３と係合部材３２の案内部６２との係合が解除されるおそれもある。すなわち、係合突部７３が下方へ変位することにより係合突部７３の先端が案内部６２と離間した場合、ロックレバー３３は自重などに起因して時計方向へ回転することが懸念される。しかし、ロックレバー３３が図１３（ａ）に示されるロック位置からたとえば図１３（ｂ）に示される仮止め位置へ回転変位した場合であれ、係合爪６５はウェイトバー１６の下部溝２４にスクリーン生地を介して嵌合した状態に維持される。係合爪６５の下部溝２４に対する嵌合を解除するためには、図１３（ｃ）に示されるアンロック位置までロックレバー３３を回転させる必要がある。このため、係合爪６５は下部溝２４に勘合した状態に保持される。したがって、支持構造体１７がウェイトバー１６から脱落することが抑制される。
【００６２】
仮に、何らかの原因で、ロックレバー３３が図１３（ｃ）に示されるアンロック位置まで一時的に回転した場合であれ、ロックレバー３３に対する外力の印加が解除されたときには、係合部材３２の弾性力により、図１３（ｂ）に示される仮止め状態、すなわち係合爪６５が下部溝２４にスクリーン生地を介して嵌合した状態に、即時に復帰する。係合爪６５がウェイトバー１６の下部溝２４に下方から食い込むため、再び支持構造体１７のウェイトバー１６からの脱落が規制された状態となる。
【００６３】
このように、支持構造体１７（ボディ３１）が、下方へ強く引っ張られたときであれ、係合爪６５は下部溝２４にスクリーン生地を介して嵌合した状態に維持される。すなわち、ロックレバー３３による係合部材３２のロック状態が解除されて仮止め状態になったときであれ、ロック状態のときと同様に、係合爪４１は上部溝２３に、係合爪６５は下部溝２４に係合した状態に維持される。このため、支持構造体１７は、ウェイトバー１６から外れにくい。また、支持構造体１７のウェイトバー１６からの脱落を抑制しつつも、支持構造体１７を取り外す必要があるときには、支持構造体１７を簡単に取り外すことができる。ロックレバー３３を時計方向へ回転操作させて支持構造体１７を図１３（ｃ）に示されるアンロック状態とすればよい。また、支持構造体１７のウェイトバー１６への取付け作業も簡単である。係合爪４１を上部溝２３に引っ掛けて、ロックレバー３３をロック位置に回転させるだけでよい。なお、ハンドル１９を採用した場合も、同様である。
【００６４】
＜実施の形態の効果＞
したがって、本実施の形態によれば、以下の効果を得ることができる。
（１）ロックレバー３３をアンロック位置からロック位置へ変位させることにより、係合部材３２の反時計方向への回転、すなわち係合爪６５の下方への変位が規制されて、係合爪６５の下部溝２４に対する係合状態が好適に維持される。操作紐１８などの操作具を介して支持構造体１７に対して下方への外力が印加された場合であれ、当該外力がロックレバー３３に直接的に印加されることはない。すなわち、操作具の操作を通じて支持構造体１７に印加される力は、ロックレバー３３をロック位置からアンロック位置へ回転させる力とはなり得ない。このため、確実にロック状態が維持される。
【００６５】
（２）支持構造体１７をウェイトバー１６から取り外す際には、ロック位置にあるロックレバー３３をアンロック位置まで変位させるだけでよい。ロックレバー３３の回転に連動して、係合爪６５の下部溝２４に対する係合が解除される。支持構造体１７をワンタッチで取り外すことができるので、便利である。
【００６６】
（３）支持構造体１７をウェイトバー１６に取り付ける際には、ロックレバー３３の操作を通じて、係合爪６５はボディ３１の内部に収容された状態に維持される。すなわち、係合爪６５がボディ３１の内面から突出することはない。このため、支持構造体１７をウェイトバー１６に取り付ける際、係合爪６５がスクリーン生地にひっかかることが抑制される。支持構造体１７の取付け作業も円滑に行われる。
【００６７】
（４）ボディ３１の内面には、ボディ３１の長手方向へ延びる突部４４を形成した。このため、支持構造体１７をウェイトバー１６に取り付けた際、突部４４は、ウェイトバー１６の外側面にスクリーン生地を介して線接触する。ここで、スクリーン生地の生地厚は、様々である。このため、生地厚によっては、係合爪６５が下部溝２４に好適に係合させることが困難となる場合がある。この点、本例では、生地厚が若干大きくなっても、突部４４が生地に食い込むことにより、生地厚が吸収される。このため、係合爪６５を下部溝２４に好適に係合させることが可能になる。すなわち、係合爪６５の下部溝２４に対する嵌合不良の発生が抑制される。なお、ウェイトバー１６の室外側には、ゴム製のウェイトバーダンパ２２が設けられているので、突部４４はスクリーン生地を介して、いっそう食い込みやすくなる。
【００６８】
（５）また、支持構造体１７をウェイトバー１６に取り付けた際、突部４４がウェイトバー１６の外側面にスクリーン生地を介して線接触することにより、支持構造体１７のウェイトバー１６に対する取付け状態が安定する。支持構造体１７のがたつきなどが抑制される。
【００６９】
（６）ボディ３１には、操作紐１８を取り付けるための挿通孔５３、およびハンドル１９を取り付けるための切欠凹部４５をそれぞれ設けた。このため、製品仕様あるいはユーザの好みなどに応じて、操作紐１８あるいはハンドル１９を選択して支持構造体１７に取り付けることができる。したがって、ユーザは操作紐１８およびハンドル１９のいずれか一方を選択して取り付けることができるので、使い勝手がよい。また、操作紐１８およびハンドル１９に対する専用の支持部材を設ける場合と異なり、１種類の支持構造体１７を用意すればよい。このため、部品の種類、ひいては部品の管理コストの低減化が図られる。
【００７０】
（７）支持構造体１７は、ウェイトバー１６の室外側の半分を覆う態様でウェイトバー１６に取り付けられる。このため、支持構造体１７の室内側への露出を抑えることができる。意匠性の向上にもつながる。
【００７１】
＜第２の実施の形態＞
つぎに、本発明の第２の実施の形態を説明する。本例は、下部溝に係合する係合爪がロックレバーに設けられる点で、第１の実施の形態と異なる。したがって、第１の実施の形態と同様の部材構成については同一の符号を付し、その詳細な説明を省略する。
【００７２】
図１４（ａ），（ｂ）に示すように、ボディ３１の長手方向における２つの端面には、支持孔８０が形成されている。支持孔８０は、ボディ３１の室外側に偏倚して設けられている。支持孔８０は、収容孔４７の内外を連通する。図１５（ｃ）に併せて示すように、支持孔８０は、上下方向に延びる軸線に沿って延びる第１の孔８１、および第１の孔８１に対して斜状をなす第２の孔８２を有してなる。第２の孔８２は、第１の孔８１の上下方向に延びる軸線に対して鈍角をなす軸線に沿って延び、かつ下方へ向かうにつれて室外側に傾斜している。第２の孔８２の軸線に沿った長さは、第１の孔８１の軸線に沿った長さよりも短く設定されている。
【００７３】
ボディ３１の収容孔４７には、ロックレバー８３が収容されている。ロックレバー８３は、合成樹脂材料により一体形成されている。図１５（ｂ）に併せて示すように、ロックレバー８３は、係合部８４および操作部８５を有してなる。係合部８４および操作部８５は、それぞれボディ３１の長手方向に沿う板状に形成されている。操作部８５は、係合部８４の室外側の端部において、下方へ突設されている。係合部８４の先端、すなわち操作部８５と反対側の端部には、係合爪８６が形成されている。係合爪８６は、係合部８４の先端が上方へ湾曲されることにより形成されている。ロックレバー８３の長手方向における両端には、それぞれ支持軸８７，８７が突設されている。支持軸８７は、直方体状に形成されるとともに、その上面は上へ凸となる曲面、その下面は下へ凸となる曲面とされている。また支持軸８７の長さは、第２の孔８２の長さよりも、わずかに小さく設定されている。２つの支持軸８７，８７は、２つの支持孔８０，８０にそれぞれ内側から挿入されている。ロックレバー８３は、２つの支持軸８７，８７を介してボディ３１に支持される。
【００７４】
ロックレバー８３は、図１６（ａ）に示されるアンロック位置、図１６（ｂ）に示される過渡位置、および図１６（ｃ）に示されるロック位置の間を変位する。
アンロック位置は、支持軸８７が第２の孔８２の内部に存在する位置である。図１６（ａ）に示されるように、ロックレバー８３がアンロック位置にあるとき、係合爪８６は、ウェイトバー１６の下部溝２４から下方へ離脱して、収容孔４７の内部に位置する。
【００７５】
ロック位置は、支持軸８７が第１の孔８１の下部に係合する位置である。支持軸８７の下部が第１の孔８１の下部内面に係合することにより、ロックレバー８３の回転が規制される。図１６（ｃ）に示されるように、ロックレバー８３がロック位置にあるとき、係合爪８６は、ボディ３１の下部の上面から上方へ向けて突出して、ウェイトバー１６の下部溝２４にスクリーン生地を介して嵌合する。なお、ロックレバー８３がロック位置にある場合に、支持構造体１７を室内側からみたときの様子を、図１５（ａ）に示す。図１５（ａ）では、ウェイトバー１６およびスクリーン１５を省略して図示する。
【００７６】
過渡位置は、ロックレバー８３がアンロック位置とロック位置との間を変位する際の過渡的な位置である。ロックレバー８３が過渡位置にあるとき、支持軸８７は第１の孔８１の上部に係合する。また、ロックレバー８３が過渡位置にあるとき、係合爪８６のボディ３１の下部上面からの突出量は、ロックレバー８３がロック位置にあるときよりも大きくなる。
【００７７】
なお、図１４（ａ），（ｂ）では、ハンドル１９を取り付けるための切欠凹部４５を省略して図示しているが、切欠凹部４５を設けてもよい。この場合、切欠凹部４５は、先の図３などに示される位置と同様の位置に形成される。
【００７８】
＜支持部材の着脱方法＞
つぎに、ウェイトバー１６に対する支持構造体１７の着脱方法を図１６（ａ），（ｂ），（ｃ）を参照して説明する。支持構造体１７には、操作紐１８が予め取り付けられる。なお、図１６（ａ）〜（ｃ）では、説明の便宜上、スクリーン１５および操作紐１８を省略して図示する。
【００７９】
＜取り付け時＞
さて、支持構造体１７をウェイトバー１６に装着する際には、ロックレバー８３を図１６（ａ）に示されるアンロック位置として、支持構造体１７をアンロック状態とする。このとき、操作部８５の下部に対して反時計方向への外力を印加することにより、ロックレバー８３をアンロック位置に保持する。ロックレバー８３の反時計方向への回転は、支持軸８７が第２の孔８２の内側面に当接することにより規制される。
【００８０】
つぎに、ロックレバー８３をアンロック位置に保持した状態で、支持構造体１７をウェイトバー１６の室外側から近接させつつ、ボディ３１の係合爪４１を、ウェイトバー１６の上部溝２３に上方から係合させる。そして、ボディ３１の突部４４を、スクリーン生地を介してウェイトバー１６の外側面に接触させた状態に維持する。
【００８１】
そしてつぎに、ロックレバー８３をアンロック位置から過渡位置へ変位させる。すなわち、操作部８５の下部に対して時計方向への外力を印加する。すると、図１６（ｂ）に示されるように、ロックレバー８３は支持軸８７を中心として時計方向へ回転する。ロックレバー８３の時計方向への回転に伴い、支持軸８７は、自身の上部を中心として、第２の孔８２から第１の孔８１へ向けて回転しながら移行する。また、係合爪８６は徐々に上方へ変位して、ウェイトバー１６の下部溝２４にスクリーン生地を介して食い込むように嵌合する。ロックレバー８３の時計方向への回転は、支持軸８７が第１の孔８１の内側面（第２の孔８２と反対側の側面）に当接することにより規制される。
【００８２】
最後に、操作部８５に対する外力の印加を解除する。すると、ロックレバー８３は、自重により下方へ変位してロック位置に至る。図１６（ｃ）に示されるように、ロックレバー８３の下方への変位は、支持軸８７が第１の孔８１の下部に係合することにより規制される。ロックレバー８３の下方への変位に伴い、ボディ３１の下部上面に対する係合爪８６の突出量は減少する。その結果、係合爪８６は下部溝２４に好適に嵌合した状態に維持される。すなわち、ロックレバー８３は、図１６（ｃ）のロック位置に保持される。支持構造体１７は、ウェイトバー１６の室外側（図中の右側）の半分を覆った状態に維持される。以上で、支持構造体１７の取付け作業は完了となる。
【００８３】
＜取り外し時＞
支持構造体１７をウェイトバー１６から取り外す際には、まず、ロックレバー８３を図１６（ｃ）に示されるロック位置から図１６（ｂ）に示される過渡位置へ変位させる。すなわち、ロック位置にあるロックレバー８３の操作部８５に対して上方へ外力を印加する。すると、ロックレバー８３は、第１の孔８１に沿って上方へ変位する。ロックレバー８３の上方への変位は、支持軸８７の上部が第１の孔８１の上部に係合することにより規制される。
【００８４】
次いで、ロックレバー８３を図１６（ｂ）の過渡位置から図１６（ａ）のアンロック位置へ変位させる。すなわち、操作部８５に対して上方への外力を印加しつつ、反時計方向への外力を印加する。すると、ロックレバー８３は、支持軸８７を中心として反時計方向へ回転する。ロックレバー８３の反時計方向への回転に伴い、支持軸８７は、自身の上部を中心として、第１の孔８１から第２の孔８２へ向けて回転変位する。また、係合爪８６は徐々に下方へ変位する。ロックレバー８３の反時計方向への回転は、支持軸８７が第２の孔８２の内側面（第１の孔８１と反対側の内側面）に当接することにより規制される。ロックレバー８３が、図１６（ａ）に示されるアンロック位置に至ったとき、係合爪８６は、ウェイトバー１６の下部溝２４から完全に離脱する。これにより、支持構造体１７のロック状態が解除される。このアンロック状態を維持しつつ、支持構造体１７を、上部溝２３に係合した係合爪４１を支点としてウェイトバー１６の室内側から室外側（ウェイトバー１６から離間する方向）へ向けて回動させることにより、支持構造体１７はウェイトバー１６から取り外される。以上で、支持構造体１７の取り外し作業は完了となる。
【００８５】
＜支持部材の作用＞
つぎに、ロールブラインドの操作時における支持構造体１７の作用を説明する。
図１６（ｃ）に示されるように、支持構造体１７がロック状態にある場合において、スクリーン１５を昇降させるときには、操作紐１８が下方へ引っ張られる。このとき、支持構造体１７には、ボディ３１の底壁を介して下方への外力が印加される。支持構造体１７の下方への変位は、ボディ３１の係合爪４１がウェイトバー１６の上部溝２３に係合することにより規制される。またこのとき、下方への外力は、直接的にはボディ３１の底壁の中央に印加されるのであって、ロックレバー８３に直接的に印加されることはない。
【００８６】
支持構造体１７のロック状態を解除するためには、ロックレバー８３を上方へ押し上げた状態で、反時計方向へ回転させる必要がある。これに対し、操作紐１８を介して下方への外力がボディ３１に対して印加されたとしても、当該下方への外力がロックレバー８３を上方へ変位させる力、あるいは反時計方向へ変位させる力としてロックレバー８３に印加されることはない。このため、ロックレバー８３は、図１６（ｃ）に示されるロック位置に好適に維持される。すなわち、操作紐１８の下方への引っ張り操作により、係合爪８６が下部溝２４から離脱すること、ひいては支持構造体１７がウェイトバー１６から脱落することが抑制される。支持構造体１７がウェイトバー１６から簡単に外れることはない。
【００８７】
なお、支持構造体１７のウェイトバー１６からの脱落を抑制しつつも、支持構造体１７を取り外す必要があるときには、支持構造体１７を簡単に取り外すことができる。操作部８５を上方へ移動させた状態で、反時計方向へ回転させるだけでよい。
【００８８】
＜実施の形態の効果＞
したがって、本実施の形態によれば、以下の効果を得ることができる。
（１）操作紐１８などの操作具を介して、ボディ３１に下方への外力が印加された場合であれ、ロックレバー８３がロック位置から過渡位置、ひいてはアンロック位置へ変位することがない。このため、操作具を通じたスクリーン１５の昇降操作時において、支持構造体１７がウェイトバー１６から脱落することを抑制することができる。
【００８９】
（２）支持構造体１７は、ボディ３１およびロックレバー８３の２つの部品からなる。このため、支持構造体１７の構造の複雑化を抑制しつつ、ウェイトバー１６からの脱落を抑制することができる。
【００９０】
＜第３の実施の形態＞
つぎに、本発明の第３の実施の形態を説明する。本例も、下部溝に係合する係合爪がロックレバーに設けられる点で第１の実施の形態と異なる。
【００９１】
図１７（ａ）に示すように、支持構造体１７のボディ３１の底壁３１ａの上面には、直方体状の収容部９１が形成されている。収容部９１は、ボディ３１の長手方向における全長にわたって設けられている。収容部９１と、ボディ３１の上下方向へ延びる側壁３１ｂとの間には隙間が形成されている。収容部９１、ボディ３１の底壁３１ａ、およびボディ３１の側壁３１ｂにより、ハンドル１９の支持部９２が形成されている。本例のハンドル１９は、図１７（ｂ）に併せて示すように、上下に延びる２つの腕部１９ａ，１９ａ、および２つの腕部１９ａ，１９ａの下部間を連結する把持部１９ｂ、および２つの腕部１９ａ，１９ａの上部間を連結する吊下部１９ｄから全体として矩形状に形成されている。ハンドル１９は、吊下部１９ｄが支持部９２に係合することにより、ボディ３１に吊下状態で支持される。なお、図１７（ｂ）に示されるように、ボディ３１の底壁３１ａの中央には、挿通孔５３が形成されている。挿通孔５３を利用して、操作紐１８を取り付けることも可能とされている。なお、ボディ３１の側壁３１ｂの中央部分には、矩形状の孔３１ｃが形成されている。
【００９２】
図１７（ｂ）に示すように、収容部９１の下面には、収容溝９３が形成されている。収容溝９３は、収容部９１の長手方向の全長にわたって形成されている。図１７（ａ）に示すように、収容部９１の上面には、３つの矩形状の孔９１ａ，９１ｂ，９１ｃが形成されている。各孔９１ａ〜９１ｃは、収容部９１の延びる方向において、間隔をおいて設けられている。収容溝９３の内外は、各孔９１ａ〜９１ｃを介して連通している。また、図２０（ａ）に示すように、収容部９１の内頂面には、係合壁９４が形成されている。係合壁９４は、収容部９１の一の端部寄りに設けられている。係合壁９４の外側面には、係合凹部９５が形成されている。
【００９３】
図１７（ｂ）および図１８（ｂ）に示すように、収容溝９３には、板状のロックレバー９６が取り出し可能に収容されている。ロックレバー９６の第１の端部９６ａは、軸９７を介して収容部９１に対して回転可能に支持されている。ロックレバー９６の第２の端部９６ｂ寄りの下面には、矩形板状のノブ９８が設けられている。ノブ９８は、ロックレバー９６の延びる方向に対して直交する方向（室内外方向）において、ロックレバー９６の両側に張り出している。ノブ９８の室内外方向における長さは、収容部９１の室内外方向における長さよりも長く設定されている。したがって、ノブ９８の上面は、収容部９１の下面に当接する。
【００９４】
図２０（ａ）に示すように、ロックレバー９６の長手方向における中央には、矩形板状の係合爪９９が形成されている。係合爪９９の上部において、軸９７側の角部には、丸み９９ａが持たせられている。また、図１９（ａ）に併せて示されるように、係合爪９９の上部には、上方へ向かうにつれて厚みが小さくなるように傾斜するテーパ面９９ｂが形成されている。図１７（ａ）に示されるように、係合爪９９は、収容部９１の３つの孔９１ａ〜９１ｃのうち、真ん中の孔９１ｂに内側から挿入される。丸み９９ａおよびテーパ面９９ｂの働きにより、係合爪９９は円滑に孔９１ｂに挿入される。
【００９５】
図２０（ａ）に示すように、ロックレバー９６の軸９７と反対側の端部である第２の端部９６ｂには、切欠１００が形成されることにより、係合突部１０１が形成されている。切欠１００には、係合壁９４が挿入される。係合突部１０１の先端は、軸９７側へ隆起している。係合突部１０１の先端（隆起している部分）は、係合壁９４の係合凹部９５に係合する。
【００９６】
ロックレバー９６は、図１７（ａ），（ｂ）に示されるロック位置と、図１８（ａ），（ｂ）に示されるアンロック位置との間を変位する。
ロック位置は、係合突部１０１の先端が、係合凹部９５に係合する位置である。係合突部１０１の先端が係合凹部９５に係合することにより、ロックレバー９６の下方への変位が規制される。すなわち、ロックレバー９６は、収容溝９３の内部に収容された状態に保持される。また、ロックレバー９６がロック位置にあるとき、ノブ９８の上面は収容部９１の下面に当接する。さらに、ロックレバー９６がロック位置にあるとき、図１７（ａ）および図２０（ａ）に示されるように、係合爪９９は収容部９１の上面から突出する。
【００９７】
アンロック位置は、係合突部１０１の先端と係合凹部９５との係合が解除されて、ロックレバー９６が軸９７を中心として反時計方向（下方）へ変位した位置である。ロックレバー９６の反時計方向への変位は、ロックレバー９６の軸９７側の第１の端部９６ａが、収容部９１の内頂面に当接することにより規制される。ロックレバー９６がアンロック位置にあるとき、図１８（ｂ）および図２０（ｂ）に示されるように、係合爪９９は収容部９１の内部に収容される。
【００９８】
＜支持部材の着脱方法＞
つぎに、ウェイトバー１６に対する支持構造体１７の着脱方法を図１９（ａ），（ｂ）に従って説明する。支持構造体１７には、ハンドル１９が予め取り付ける。なお、図１９（ａ），（ｂ）では、説明の便宜上、スクリーン１５を省略して図示する。
【００９９】
＜取り付け時＞
さて、支持構造体１７をウェイトバー１６に装着する際には、支持構造体１７を、図１９（ｂ）に示されるアンロック状態とする。このとき、ロックレバー９６の先端は収容部９１の上面から突出しない。つぎに、支持構造体１７をウェイトバー１６の室外側から近接させつつ、ボディ３１の係合爪４１を、ウェイトバー１６の上部溝２３に上方から係合させる。そして、ボディ３１の内側面を、スクリーン生地を介してウェイトバー１６の外側面に接触させた状態に維持する。またこのとき、収容部９１の各孔９１ａ〜９１ｃを、ウェイトバー１６の下部溝２４に一致させる。
【０１００】
そしてこの状態を維持しつつ、ロックレバー９６をアンロック位置からロック位置へ回転変位させる。すなわち、ノブ９８を介してロックレバー９６に対して上方への外力を印加する。すると、ロックレバー９６は、軸９７を中心として時計方向へ回転する。やがて、係合突部１０１の先端は、係合壁９４の先端に係合する。ロックレバー９６が時計方向へさらに回転されると、係合突部１０１は係合壁９４の先端を乗り越えて、係合凹部９５に係合する。係合突部１０１と係合凹部９５との係合関係により、ロックレバー９６の反時計方向への回転が規制されて、ロックレバー９６はロック位置に保持される。ロックレバー９６の時計方向への回転に伴い係合爪９９は、収容部９１の上面から徐々に突出して、図１９（ａ）に示されるように、ウェイトバー１６の下部溝２４にスクリーン生地を介して食い込むかたちで嵌合する。これにより、支持構造体１７は、ウェイトバー１６の室外側（図中の右側）の半分を覆った状態に維持される。以上で、支持構造体１７の取付け作業は完了となる。
【０１０１】
＜取り外し時＞
支持構造体１７をウェイトバー１６から取り外す際には、ノブ９８を介してロックレバー９６に下方への外力を印加すればよい。係合突部１０１と係合凹部９５との嵌合する力を超える下方への外力がロックレバー９６に印加されたとき、係合突部１０１と係合凹部９５との係合が解除される。すると、ロックレバー９６は自重により、軸９７を中心として、反時計方向（下方）へ回転変位する。ロックレバー９６の軸９７側の第１の端部９６ａが収容部９１の内頂面に当接することにより、ロックレバー９６の反時計方向への回転が規制される。そしてロックレバー９６は、アンロック位置に保持される。
【０１０２】
ロックレバー９６の反時計方向への回転に伴い係合爪９９は、収容部９１の内部に徐々に退避する。やがて係合爪９９は、図１９（ｂ）に示されるように、下部溝２４から完全に離脱する。これにより、支持構造体１７のロック状態が解除される。このアンロック状態を維持しつつ、支持構造体１７を、上部溝２３に係合した係合爪４１を支点としてウェイトバー１６の室内側から室外側（ウェイトバー１６から離間する方向）へ向けて回動させることにより、支持構造体１７はウェイトバー１６から取り外される。以上で、支持構造体１７の取り外し作業は完了となる。
【０１０３】
＜支持構造体の作用＞
つぎに、ロールブラインドの操作時における支持構造体１７の作用を説明する。
図１９（ａ）に示されるように、支持構造体１７がロック状態にある場合において、スクリーン１５を昇降させるときには、ハンドル１９が下方へ引っ張られる。このとき、支持構造体１７には、ボディ３１の底壁を介して下方への外力が印加される。支持構造体１７の下方への変位は、ボディ３１の係合爪４１がウェイトバー１６の上部溝２３に係合することにより規制される。またこのとき、下方への外力は、直接的にはボディ３１の底壁の中央に印加されるのであって、ロックレバー９６に直接的に印加されることはない。
【０１０４】
支持構造体１７のロック状態を解除するためには、ロックレバー９６を下方（反時計方向）へ回転させる必要がある。しかし、ハンドル１９を介して下方への外力がボディ３１に対して印加されたとしても、当該下方への外力がロックレバー９６を下方へ変位させる力としてロックレバー９６に印加されることはない。このため、ロックレバー９６は、図１９（ａ）に示されるロック位置に好適に維持される。すなわち、ハンドル１９の下方への引っ張り操作により、係合爪９９が下部溝２４から離脱すること、ひいては支持構造体１７がウェイトバー１６から脱落することが抑制される。支持構造体１７がウェイトバー１６から簡単に外れることはない。
【０１０５】
なお、支持構造体１７を取り外す必要があるときには、支持構造体１７を簡単に取り外すことができる。ノブ９８を下方へ押し下げるだけでよい。
＜実施の形態の効果＞
したがって、本実施の形態によれば、以下の効果を得ることができる。
【０１０６】
（１）ハンドル１９などの操作具を介して、ボディ３１に下方への外力が印加された場合であれ、ロックレバー９６がロック位置からアンロック位置へ変位することがない。このため、操作具を通じたスクリーン１５の昇降操作時において、支持構造体１７がウェイトバー１６から脱落することを抑制することができる。
【０１０７】
（２）支持構造体１７は、ボディ３１およびロックレバー９６の２つの部品からなる。このため、支持構造体１７の構造の複雑化を抑制しつつ、ウェイトバー１６からの脱落を抑制することができる。
【０１０８】
＜第４の実施の形態＞
つぎに、本発明の第４の実施の形態を説明する。本例は、下部溝に係合する係合爪がボディと一体形成される点で、第１の実施の形態と異なる。したがって、第１の実施の形態と同様の部材構成については同一の符号を付し、その詳細な説明を省略する。
【０１０９】
図２１（ａ），（ｂ）に示すように、本例の支持構造体１７は、ボディ３１、およびボディ３１に取り付けられるロックレバー１５１を備えてなる。
＜ボディ＞
本例のボディ３１も、ウェイトバー１６の外周面に沿って湾曲する板状に形成されている。また、ボディ３１の上端部には、係合爪４１が形成されている。係合爪４１の先端には、複数個の突部１１１が形成されている。各突部１１１は、ボディ３１の長手方向において間隔をおいて設けられている。係合爪４１がウェイトバー１６の上部溝２３にスクリーン生地を介して係合したとき、各突部１１１はスクリーン生地に食い込む。また、図２１（ｂ）に示すように、ボディ３１の上部には、矩形状の複数の孔１１２が形成されている。これら孔１１２は、ボディ３１の長手方向において間隔をおいて設けられている。
【０１１０】
ボディ３１の下部には、下方へ垂れ下がる垂下部１１３が形成されている。垂下部１１３は、ボディ３１の長手方向における全長にわたって形成されている。垂下部１１３の長手方向における両端には、それぞれ凹部１１４が形成されている。これら凹部１１４，１１４は、それぞれ上方、およびボディ３１の長手方向における外側へ開放されている。また、これら凹部１１４，１１４の室内外方向において対向する２つの内面は、上方へ向かうにつれて徐々に離間する案内面１１４ａ，１１４ｂとされている。そしてこれら凹部１１４，１１４の底部には、それぞれ円柱状の軸受穴１１５が連通して形成されている。２つの凹部１１４，１１４、および２つの軸受穴１１５，１１５は、先の図１２（ａ），（ｂ）に示されるハンドル１９を取り付ける際に使用される。
【０１１１】
図２１（ａ）に示すように、ボディ３１の内面において、上下方向における中央部よりも若干上側の部位には、突部４４が形成されている。図２２に併せて示されるように、本例の突部４４は、ボディ３１の長手方向における全長にわたって形成されている。突部４４の上面および下面は、突部４４の先端に向かうにつれて互いに近接するテーパ面とされている。第１の実施の形態と同様に、ボディ３１がウェイトバー１６に取り付けられた状態において、突部４４の先端は、ウェイトバーダンパ２２の外側面にスクリーン生地を介して接触し、あるいは食い込む（図２参照）。
【０１１２】
図２２に示すように、ボディ３１には、スリット１２０が貫通して形成されている。スリット１２０は、突部４４の直下に設けられている。ボディ３１を室内側（開口側）からみたとき、スリット１２０は、上下方向へ延びる第１および第２のスリット１２１，１２２、およびボディ３１の長手方向へ延びる第３のスリット１２３からＵ字状をなしている。第１および第２のスリット１２１，１２２は、ボディ３１の両端側にそれぞれ偏倚して形成されている。第１および第２のスリット１２１，１２２の下部間は、第３のスリット１２３により連結されている。
【０１１３】
ボディ３１にスリット１２０が形成されることにより、舌片１３１が形成されている。舌片１３１は、ボディ３１において、突部４４とスリット１２０とによって囲まれた部位である。図２１（ａ）に併せ示されるように、舌片１３１は、突部４４の近傍の部分である基端を起点として下方へ延び、かつ下方へ向かうにつれて徐々に内方（室内側）へ湾曲している。図２４（ｂ）に併せ示すように、舌片１３１の下部は、第３のスリット１２３の貫通方向に沿って内方へ延びている。舌片１３１の先端は、垂下部１１３よりも室内側（図中の右側）に位置している。舌片１３１の下部の上面には、係合突部１３２が形成されている。係合突部１３２は、ボディ３１の長手方向における舌片１３１の全長にわたって設けられている。係合突部１３２は、ウェイトバー１６の下部溝２４にスクリーン生地を介して係合可能とされている。舌片１３１の先端に対して上方からの外力が印加されたとき、舌片１３１は基端部を中心として外側へ撓む。
【０１１４】
図２１（ｂ）に示すように、ボディ３１の外側面（室外側の面）には、凹部１３３が形成されている。凹部１３３は、第１および第２の凹部１３４，１３５からなる。第１の凹部１３４は、ボディ３１の外側面における舌片１３１に対応する部位に形成されている。第２の凹部１３５はボディ３１の外側面における舌片１３１よりも上の部分に対応して形成されている。第２の凹部１３５のボディ３１の長手方向における長さは、第１の凹部１３４よりも若干大きく設定されている。図２４（ｂ）に示されるように、ボディ３１において、凹部１３３が形成された部分の厚みは、凹部１３３が形成されていない他の部分の厚みよりも小さくなる。すなわち、舌片１３１の基端部、およびその上側の部分の厚みが小さくされる分だけ、舌片１３１は撓みやすくなる。
【０１１５】
図２１（ｂ）に示すように、第３のスリット１２３の底面（舌片１３１に対向する面）には、収容凹部１３７が形成されている。収容凹部１３７は、第３のスリット１２３に沿ってボディ３１の長手方向へ延びている。収容凹部１３７の内底面には、挿通孔５３が形成されている。図２３に示すように、挿通孔５３は、垂下部１１３の下面に開口している。挿通孔５３は、操作紐１８を取り付ける際に使用される。
【０１１６】
図２５（ａ）に示すように、支持構造体１７は、大きく第１の部位１４１および第２の部位１４２に区画される。第１の部位１４１は、図２５（ａ）に多数のドットを付して示されるように、ボディ３１において、舌片１３１および及びその上部の部分である。第１の部位１４１は、主にボディ３１をウェイトバー１６に装着する際に力がかかる部分である。第２の部位１４２は、ボディ３１において、第１の部位１４１を除いた部分（図中にドットが付されていない部分）である。第２の部位１４２は、主に操作紐１８またはハンドル１９が下方へ引っ張り操作された際に力がかかる部分である。
【０１１７】
＜ロックレバー＞
図２４（ｂ）に示すように、収容凹部１３７には、ロックレバー１５１が設けられている。ロックレバー１５１は、合成樹脂材料によりＬ字板状に一体形成される。ロックレバー１５１は、操作部１５２および係合突部１５３を有している。図２１（ｂ）に併せて示すように、操作部１５２は、ボディ３１の長手方向に沿って延びる板状に形成されている。図２４（ｂ）に示されるように、係合突部１５３は、操作部１５２の上面において、室内外方向における一の端部１５１ａに設けられている。係合突部１５３は、操作部１５２の長手方向における全長にわたって形成されている。係合突部１５３の室外側の側面は、上方へ向かうにつれて厚みが小さくなるように傾斜する勾配面とされている。ロックレバー１５１の長手方向における両端面には、それぞれ軸１５４，１５４が形成されている。これら軸１５４，１５４は、操作部１５２および係合突部１５３の交わる部分に対応して設けられている。ロックレバー１５１は、これら軸１５４，１５４を介して、ボディ３１に対して回動可能に支持される。
【０１１８】
図２５（ａ），（ｂ）に示されるように、ロックレバー１５１がボディ３１に取り付けられた状態において、操作部１５２の係合突部１５３と反対側の端部は、ボディ３１の室外側（図中の右側）の外側面から突出している。係合突部１５３は、収容凹部１３７の内部に収容されている。
【０１１９】
ロックレバー１５１は、図２５（ｂ）に実線で示されるロック位置と、同じく二点鎖線で示されるアンロック位置との間を回転変位する。
ロック位置は、係合突部１５３の先端が舌片１３１の下面に当接する位置である。すなわち、ロックレバー１５１がロック位置にあるとき、舌片１３１の下方への変位が規制される。係合突部１５３の先端が舌片１３１の下面に食い込むかたちで当接することにより、ロックレバー１５１はロック位置に保持される。
【０１２０】
アンロック位置は、係合突部１５３の先端と舌片１３１の下面との当接が解除される位置である。ロックレバー１５１がアンロック位置にあるとき、舌片１３１の下方への変位が許容される。すなわち、舌片１３１の先端に対して下方への外力が印加されたとき、図２５（ｂ）に二点鎖線で示されるように、舌片１３１はその基端部を中心として下方（室外側）へ撓む。
【０１２１】
なお、ロックレバー１５１において、挿通孔５３に対応する部分には、図示しない逃げ凹部が形成される。操作具として操作紐１８を採用する場合、操作紐１８の結び目は、逃げ凹部に収容される。このため、ロックレバー１５１の回転に伴うロックレバー１５１と操作紐１８の結び目との干渉が抑制される。
【０１２２】
＜支持部材の着脱方法＞
つぎに、ウェイトバー１６に対する支持構造体１７の着脱方法を図２５（ａ），（ｂ），（ｃ）を参照して説明する。ボディ３１をウェイトバー１６に装着する際には、操作紐１８またはハンドル１９を予めボディ３１に取り付ける。なお、図２５（ｂ），（ｃ）では、説明の便宜上、スクリーン１５を省略して図示する。
【０１２３】
＜取り付け時＞
さて、支持構造体１７をウェイトバー１６に装着する際には、ロックレバー１５１をアンロック位置に維持しつつ、ボディ３１の係合爪４１を、ウェイトバー１６の室外側からウェイトバー１６の上部溝２３に係合させる。次いで、支持構造体１７を、上部溝２３に係合した係合爪４１を支点としてウェイトバー１６の室外側から室内側（ウェイトバー１６に近接する方向）へ向けて回動させる。この回動に伴い、係合突部１３２は、下部溝２４の開口端縁を乗り越えて、下部溝２４に下方からスクリーン生地を介して弾性的に嵌合する。支持構造体１７は、ウェイトバー１６の屋外側（図中の右側）の半分を覆った状態に維持される。
【０１２４】
最後に、ロックレバー１５１を図２５（ｂ）に二点鎖線で示されるアンロック位置から同図に実線で示されるロック位置へ回転変位させる。すなわち、操作部１５２に対して上方へ向けた外力を印加する。すると、ロックレバー１５１は軸１５４を中心として反時計方向へ回転する。当該回転に伴い、係合突部１５３の先端は、舌片１３１の下面を室内側（図中の左側）へ摺動しながら、徐々に舌片１３１の下面に食い込むように当接する。舌片１３１の下方への変位は、舌片１３１が係合突部１５３に当接することにより規制される。このため、支持構造体１７は、ウェイトバー１６に対して強固に固定される。以上で、支持構造体１７の取付け作業は完了となる。
【０１２５】
＜取り外し時＞
支持構造体１７をウェイトバー１６から取り外す際には、ロックレバー１５１を図２５（ｂ）に実線で示されるロック位置から同図に二点鎖線で示されるアンロック位置へ変位させる。すなわち、操作部１５２に対して下方へ向けた外力を印加する。すると、ロックレバー１５１は、軸１５４を中心として時計方向へ回転する。当該回転に伴い、係合突部１５３の先端は、舌片１３１の下面を室外側（図中の右側）へ摺動しながら、徐々に舌片１３１の下面との当接が解除される。やがてロックレバー１５１はアンロック位置に至る。そして、舌片１３１の下方への変位が許容された状態となる。
【０１２６】
つぎに、舌片１３１の先端を下方へ押圧する。舌片１３１の先端に対して下方への外力が印加されることにより、舌片１３１がその基端部を支点としてウェイトバー１６から離間する方向へ若干、弾性変形する。図２５（ｂ）に二点鎖線で示されるように、当該弾性変形に伴い、係合突部１３２は下方へ変位する。これにより、係合突部１３２と下部溝２４との係合が解除される。当該係合が解除された状態で、支持構造体１７を、上部溝２３に係合した係合爪４１を支点としてウェイトバー１６の室内側から室外側（ウェイトバー１６から離間する方向）へ向けて回動させることにより、支持構造体１７はウェイトバー１６から取り外される。以上で、支持構造体１７の取り外し作業は完了となる。
【０１２７】
＜支持構造体の作用＞
つぎに、ロールブラインドの操作時における支持構造体１７の作用を説明する。ここでは操作紐１８が採用されているものとする。
【０１２８】
さて、スクリーン１５を昇降させる場合には、操作紐１８が下方へ引っ張られる。このとき、ボディ３１には、下方への外力が印加される。ボディ３１の下方への変位は、係合爪４１がウェイトバー１６の上部溝２３に係合することにより規制される。またこのとき、下方への外力は、直接的には、ボディ３１の垂下部１１３に印加される。ここで、舌片１３１は、スリット１２０を介して垂下部１１３および垂下部１１３の上側の部分に対して離間している。このため、舌片１３１に下方への外力が印加されることはない。したがって、図２５（ｃ）に二点鎖線で示されるように、ボディ３１の垂下部１１３のみが、ボディ３１の突部４４が形成された部分を支点として、下方へわずかに弾性変形する。舌片１３１は下方へ弾性変形することがないので、係合突部１３２はウェイトバー１６の下部溝２４に係合した状態に維持される。すなわち、操作紐１８の下方への引っ張り操作により、係合突部１３２が下部溝２４から脱落すること、ひいてはボディ３１がウェイトバー１６から脱落することが抑制される。なお、ハンドル１９を採用した場合も、同様である。
【０１２９】
ここで、操作紐１８の操作時などにおいて、誤って舌片１３１の先端が下方へ押圧されることも想定される。この点、本例によれば、支持構造体１７の通常の取付け状態においては、ロックレバー１５１は、ロック位置に保持される。すなわち、舌片１３１の下方への弾性変形が規制される。このため、意図しない下方への外力が舌片１３１の先端に印加された場合であれ、係合突部１３２と下部溝２４との係合が解除されることはない。したがって、支持構造体１７の意図しない脱落が防止される。
【０１３０】
＜実施の形態の効果＞
（１）ボディ３１において、係合突部１３２が形成された舌片１３１以外の部位の下部、具体的には垂下部１１３に操作具である操作紐１８またはハンドル１９が取り付けられる。そして舌片１３１と、その他の部位とは互いに独立して上下方向へ弾性変形可能とされている。このため、スクリーン１５を昇降すべく操作紐１８またはハンドル１９が下方へ引っ張られたとき、舌片１３１以外の他の部位のみが下方へ弾性変形する。すなわち、舌片１３１は下方へ弾性変形することなく、係合突部１３２が下部溝２４から脱落することが抑制される。したがって、操作紐１８などの操作具を下方へ引っ張り操作した場合であれ、支持構造体１７がウェイトバー１６から外れることはない。さらに、支持構造体１７をウェイトバー１６に取り付けた後に、ロックレバー１５１をアンロック位置からロック位置に変位させることにより、舌片１３１の下方への弾性変形が規制される。このため、意図しない下方への外力が舌片１３１の先端に印加された場合であれ、係合突部１３２と下部溝２４との係合が解除されることはない。したがって、支持構造体１７はウェイトバー１６からいっそう脱落しにくくなる。
【０１３１】
（２）また、係合突部１３２が設けられる舌片１３１が、ボディ３１の他の部分に対して独立して弾性変形することにより、ボディ３１、ひいては支持構造体１７のウェイトバー１６に対する着脱作業が簡単になる。すなわち、支持構造体１７をウェイトバー１６に取り付ける際には、ウェイトバー１６と嵌合する部分である舌片１３１の弾性変形を通じて、係合突部１３２が簡単に上下に変位する。このため、支持構造体１７をウェイトバー１６に対して簡単に取り付けることができる。この後、ロックレバー１５１をアンロック位置からロック位置へ変位させればよい。支持構造体１７をウェイトバー１６から取り外す際には、ロックレバー１５１をロック位置からアンロック位置へ変位させた状態で、ウェイトバー１６と嵌合する部分である舌片１３１の先端を下方へ押圧するだけで係合突部１３２とウェイトバー１６との係合が解除される。このため、支持構造体１７を簡単に取り外すことができる。
【０１３２】
（３）舌片１３１の厚みは、ボディ３１の他の部分の厚みよりも小さく設定されている。このため、舌片１３１は、いっそう弾性変形しやすくなる。
（４）ハンドル１９はボディ３１に対して、軸２０を中心として回転可能になる。このため、ハンドル１９を取り付けた場合におけるロールブラインドの操作性が向上する。
【０１３３】
＜他の実施の形態＞
なお、前記実施の形態は、次のように変更して実施してもよい。
・第１〜第４の実施の形態では、支持構造体１７は、ウェイトバー１６の室外側の半分を覆うかたちで一つだけ取り付けるようにしたが、室内側の半分を覆うかたちで取り付けるようにしてもよい。また、２つの支持構造体１７，１７をウェイトバー１６に取り付けるようにしてもよい。すなわち、２つの支持構造体１７，１７は、ウェイトバー１６を室内外方向において挟み込むようにして取り付ける。この場合、２つの支持構造体１７，１７は、上下の向きを同じにして取り付けてもよいし、上下の向きを互いに反対向きにして取り付けてもよい。ウェイトバー１６の外形形状、ならびに上部溝２３および下部溝２４などの寸法などは、適宜調節すればよい。
【０１３４】
・ウェイトバー１６の形状は種々存在する。ボディ３１などの形状を、選択されるウェイトバー１６の外形形状などに応じて適宜調節することにより、第１〜第４の実施の形態の支持構造体１７は、種々のウェイトバーに装着することが可能になる。
【０１３５】
・第１〜第４の実施の形態において、上部溝２３および下部溝２４は、ウェイトバー１６の長手方向における全長にわたって形成してもよいし、ウェイトバー１６の一部分に形成された孔として形成してもよい。たとえば第１の実施の形態において、上部溝２３を係合爪４１が係合する孔として、下部溝２４を係合爪６５が係合する孔として形成する。第２〜第４の実施の形態においても同様である。
【０１３６】
・第１〜第４の実施の形態では、ウェイトバー１６を本体２１およびウェイトバーダンパ２２を備えて構成したが、ウェイトバーダンパ２２を省略してもよい。ウェイトバー１６の本体２１の外形形状は適宜調節する。
【０１３７】
・第１〜第４の実施の形態では、ボディ、およびロックレバーなどの支持構造体１７の各構成要素を合成樹脂材料により形成したが、金属で形成してもよい。
・第４の実施の形態では、スリット１２０の形状をＵ字状としたが、たとえば円弧状、あるいはＶ字状などとしてもよい。支持構造体１７の舌片１３１が、操作紐１８などが連結される部分と離間しさえすればよい。
【符号の説明】
【０１３８】
１１…ロールブラインド、１５…スクリーン、１６…ウェイトバー、１７…支持構造体、１８…操作紐（操作具）、１９…ハンドル（操作具）、２４…下部溝（孔）、３１…ボディ、３２…係合部材、３３，８３，９６，１５１…ロックレバー、４１…係合爪（第１の係合爪）、６５…係合爪（第２の係合爪）、６８…当接面、８０…支持孔、８７…支持軸、９５…係合凹部、９６ａ…第１の端部、９６ｂ…第２の端部、１０１…係合突部、１２０…スリット。
【図１】
0005755048.tif 000002
【図２】
0005755048.tif 000003
【図３】
0005755048.tif 000004
【図４】
0005755048.tif 000005
【図５】
0005755048.tif 000006
【図６】
0005755048.tif 000007
【図７】
0005755048.tif 000008
【図８】
0005755048.tif 000009
【図９】
0005755048.tif 000010
【図１０】
0005755048.tif 000011
【図１１】
0005755048.tif 000012
【図１２】
0005755048.tif 000013
【図１３】
0005755048.tif 000014
【図１４】
0005755048.tif 000015
【図１５】
0005755048.tif 000016
【図１６】
0005755048.tif 000017
【図１７】
0005755048.tif 000018
【図１８】
0005755048.tif 000019
【図１９】
0005755048.tif 000020
【図２０】
0005755048.tif 000021
【図２１】
0005755048.tif 000022
【図２２】
0005755048.tif 000023
【図２３】
0005755048.tif 000024
【図２４】
0005755048.tif 000025
【図２５】
0005755048.tif 000026
【図２６】
0005755048.tif 000027